(57)【要約】  本発明は、耐加水分解性が向上された眼内レンズ用材料を提供する。本発明の眼内レンズ用材料は、芳香環含有アクリレートモノマーと炭素数が４以下のアルコキシアルキル基を有するアルコキシアルキルメタクリレートモノマーとを含むベースモノマーと、親水性モノマーと、架橋性モノマーと、を含むモノマー組成物を重合して得られ、該モノマー組成物に含まれる全モノマー成分における、アクリレートモノマーに対するメタクリレートモノマーのモル基準配合割合が、０．２５〜１．００である。
2019150490.tif 000002
【特許請求の範囲】
【請求項１】
芳香環含有アクリレートモノマーと炭素数が４以下のアルコキシアルキル基を有するアルコキシアルキルメタクリレートモノマーとを含むベースモノマーと、親水性モノマーと、架橋性モノマーと、を含むモノマー組成物を重合して得られ、
該モノマー組成物に含まれる全モノマー成分における、アクリレートモノマーに対するメタクリレートモノマーのモル基準配合割合が、０．２５〜１．００である、眼内レンズ用材料。
【請求項２】
前記アルコキシアルキルメタクリレートモノマーが、メトキシエチルメタクリレートおよびエトキシエチルメタクリレートから選択される１つ以上である、請求項１に記載の眼内レンズ用材料。
【請求項３】
前記モノマー組成物における前記アルコキシアルキルメタクリレートモノマーの配合量が、前記モノマー組成物に含まれる全モノマー成分を１００モル％とした場合に、１モル％〜３０モル％である、請求項１または２に記載の眼内レンズ用材料。
【請求項４】
前記モノマー組成物における前記親水性モノマーの配合量が、前記モノマー組成物に含まれる全モノマー成分を１００モル％とした場合に、１０モル％〜４０モル％である、請求項１から３のいずれか１項に記載の眼内レンズ用材料。
【請求項５】
前記モノマー組成物における前記架橋性モノマーの配合量が、前記モノマー組成物に含まれる全モノマー成分を１００モル％とした場合に、０．１モル％〜５モル％である、請求項１から４のいずれか１項に記載の眼内レンズ用材料。
【請求項６】
前記芳香環含有アクリレートモノマーが、フェノキシ基と、炭素数２以下のアルキレン基とアクリレート結合部位とを有する、請求項１から５のいずれか１項に記載の眼内レンズ用材料。
【請求項７】
前記モノマー組成物が、炭素数が１〜２０のアルキル基を有するアルキルアクリレートモノマーをさらに含む、請求項１から６のいずれか１項に記載の眼内レンズ用材料。
【請求項８】
前記モノマー組成物における前記アルキルアクリレートモノマーの配合量が、前記モノマー組成物に含まれる全モノマー成分を１００モル％とした場合に、１５モル％〜４５モル％である、請求項７に記載の眼内レンズ用材料。
【請求項９】
破断応力が、４．５ＭＰａ〜１１．０ＭＰａである、請求項１から８のいずれか１項に記載の眼内レンズ用材料。
【発明の詳細な説明】
【技術分野】
【０００１】
本発明は、眼内レンズ用材料に関する。
【背景技術】
【０００２】
眼内レンズは、白内障の手術時に水晶体の代わりに目の中に挿入されるレンズである。極力小さな切開創から眼内に挿入できるように、柔軟で折り畳み可能な材料が開発されており、柔軟性に優れ、高屈折率を有することから、近年は、アクリル系の材料が主流となっている。【０００３】
例えば、特許文献１では、水酸基含有アルキル（メタ）アクリレート、（メタ）アクリルアミドモノマーおよびＮ−ビニルラクタム等を含む親水性モノマーを含有した重合成分を重合させて得られた重合体からなり、吸水率が１．５〜４．５質量％である眼内レンズ用材料が提案されている。この眼内レンズ用材料は、柔軟性に優れ、高屈折率を有することから、レンズを薄くすることができ、折り畳んだ状態で切開創から挿入することが可能であり、さらには、グリスニングが抑制されて優れた透明性を有し得る。
【先行技術文献】
【特許文献】
【０００４】
【特許文献１】特開平１１−５６９９８号公報
【発明の概要】
【発明が解決しようとする課題】
【０００５】
上記アクリル系の眼内レンズ用材料は、水溶液中で加水分解が起きることがあり、微量ではあるものの眼内で加水分解物が溶出することがある。本発明は、当該問題に鑑みなされたものであり、よって、本発明の主たる目的は、耐加水分解性が向上された眼内レンズ用材料を提供することにある。
【課題を解決するための手段】
【０００６】
本発明者らが上記問題について検討したところ、芳香環含有アクリレートモノマー、親水性モノマーおよび架橋性モノマーを含むモノマー組成物に特定のアルコキシアルキルメタクリレートモノマーを配合することにより、グリスニングの発生を抑制しつつ、耐加水分解性が向上した眼内レンズ材料が得られることがわかった。その一方で、アルコキシアルキルメタクリレートモノマーの使用により、ポリマー材料の柔軟性が低下して折り畳みに問題が生じ得ることも明らかになった。そこで、本発明者らがさらに検討を続けた結果、モノマー組成物におけるアクリレートモノマーとメタクリレートモノマーとの配合割合を所定の範囲とすることで、折り畳みに適した柔軟性を維持しつつ、耐加水分解性が向上したポリマー材料が得られることが見出された。【０００７】
すなわち、本発明の眼内レンズ材料は、芳香環含有アクリレートモノマーと炭素数が４以下のアルコキシアルキル基を有するアルコキシアルキルメタクリレートモノマーとを含むベースモノマーと、親水性モノマーと、架橋性モノマーと、を含むモノマー組成物を重合して得られ、該モノマー組成物に含まれる全モノマー成分における、アクリレートモノマーに対するメタクリレートモノマーのモル基準配合割合が、０．２５〜１．００である。
１つの実施形態において、上記アルコキシアルキルメタクリレートモノマーが、メトキシエチルメタクリレートおよびエトキシエチルメタクリレートから選択される１つ以上である。
１つの実施形態において、上記モノマー組成物における上記アルコキシアルキルメタクリレートモノマーの配合量が、上記モノマー組成物に含まれる全モノマー成分を１００モル％とした場合に、１モル％〜３０モル％である。
１つの実施形態において、上記モノマー組成物における上記親水性モノマーの配合量が、上記モノマー組成物に含まれる全モノマー成分を１００モル％とした場合に、１０モル％〜４０モル％である。
１つの実施形態において、上記モノマー組成物における上記架橋性モノマーの配合量が、上記モノマー組成物に含まれる全モノマー成分を１００モル％とした場合に、０．１モル％〜５モル％である。
１つの実施形態において、上記芳香環含有アクリレートモノマーが、フェノキシ基と、炭素数２以下のアルキレン基とアクリレート結合部位とを有する。
１つの実施形態において、上記モノマー組成物が、炭素数が１〜２０のアルキル基を有するアルキルアクリレートモノマーをさらに含む。
１つの実施形態において、上記モノマー組成物における上記アルキルアクリレートモノマーの配合量が、上記モノマー組成物に含まれる全モノマー成分を１００モル％とした場合に、１５モル％〜４５モル％である。
１つの実施形態において、上記眼内レンズ材料の破断応力が、４．５ＭＰａ〜１１．０ＭＰａである。
【発明の効果】
【０００８】
本発明によれば、折り畳みに適した柔軟性を維持しつつ、耐加水分解性が向上した眼内レンズ用材料が得られる。
【図面の簡単な説明】
【０００９】
【図１】破断応力測定に用いる試験片の説明図である。
【発明を実施するための形態】
【００１０】
以下、本発明の好ましい実施形態について説明するが、本発明はこれらの実施形態には限定されない。
【００１１】
１つの実施形態において、本発明の眼内レンズ用材料は、芳香環含有アクリレートモノマーと炭素数が４以下のアルコキシアルキル基を有するアルコキシアルキルメタクリレートモノマーとを含むベースモノマーと、親水性モノマーと、架橋性モノマーと、を含むモノマー組成物を重合して得られる。モノマー組成物は、好ましくは炭素数が１〜２０のアルキル基を有するアルキルアクリレートモノマーをベースモノマーとしてさらに含む。換言すれば、本発明の眼内レンズ用材料は、上記各モノマー由来の繰り返し単位を含む。
【００１２】
上記眼内レンズ材料は、折り畳みに適した柔軟性を維持しつつ、耐加水分解性に優れるという特徴を有する。このような効果が得られる理由は定かではないが、以下のように推測される。すなわち、メタクリレート構造は、メチル基の存在に起因してアクリレート構造よりも水のアタックを受けにくいことから、ベースモノマーにメタクリレートモノマーを配合することによって、得られる材料の耐加水分解性を高めることができると推察される。一方、ベースモノマーにメタクリレートモノマーを配合することによって、材料の柔軟性が低下し得るところ、メタクリレートモノマーとして炭素数４以下のアルコキシアルキル基を有するメタクリレートモノマーを用いること、および、モノマー組成物中のアクリレートモノマーとメタクリレートモノマーとの配合割合を特定の範囲に調整することによって、眼内レンズ材料として望ましい柔軟性（折り畳み性能）を発揮することができる。上記眼内レンズ材料はまた、グリスニングが抑制され、高屈折率を有し、および／または、柔軟性と強度とのバランスに優れたものであり得る。
【００１３】
Ａ．モノマー組成物
Ａ−１．ベースモノマー
ベースモノマーは、芳香環含有アクリレートモノマーと炭素数が４以下のアルコキシアルキル基を有するアルコキシアルキルメタクリレートモノマーとを含む。目的に応じて、ベースモノマーは、炭素数が１〜２０のアルキル基を有するアルキルアクリレートモノマーをさらに含み得る。本明細書において、ベースモノマーとは、眼内レンズ用材料の主たる構造を構成するモノマーをいう。
【００１４】
モノマー組成物におけるベースモノマーの配合量は、モノマー組成物に含まれる全モノマー成分を１００モル％とした場合に、５９．９モル％〜８９．９モル％とすることができ、好ましくは７５モル％〜８５モル％であり得る。
【００１５】
Ａ−１−１．芳香環含有アクリレートモノマー
上記芳香環含有アクリレートモノマーは、眼内レンズ用材料の屈折率を向上させる作用を有する。芳香環含有アクリレートモノマーは、フェノキシ基と、炭素数２以下のアルキレン基とアクリレート結合部位とを有するものであってもよい。芳香環含有アクリレートモノマーの具体例としては、フェノキシエチルアクリレート、フェニルエチルアクリレート、ベンジルアクリレート、フェニルアクリレート、ペンタブロモフェニルアクリレート等が挙げられる。芳香環含有アクリレートモノマーは、一種のみを単独で用いてもよく、二種以上を組み合わせて用いてもよいが、共重合性や安全性の観点からは、使用される当該モノマーの種類は少ないことが望ましく、好ましくは一種のみが単独で用いられ得る。
【００１６】
単独で使用された場合であっても屈折率を高める効果が大きい点から、フェノキシエチルアクリレート、フェニルエチルアクリレートおよびベンジルアクリレートが好ましく、さらに柔軟性を向上させる点から、フェノキシエチルアクリレートが特に好ましい。
【００１７】
芳香環含有アクリレートモノマーの配合量は、モノマー組成物に含まれる全モノマー成分を１００モル％とした場合に、２５モル％〜５５モル％とすることができる。吸水状態でも高い屈折率を示す観点から、好ましくは３０モル％〜５０モル％であり、より好ましくは３５モル％〜４５モル％である。芳香環含有アクリレートモノマーの配合量が多過ぎると、その嵩高い構造に起因して、柔軟性や形状回復性が低下するおそれがある。一方、芳香環含有アクリレートモノマーの配合量が少な過ぎると、所望の屈折率が得られないおそれがある。
【００１８】
Ａ−１−２．アルコキシアルキルメタクリレートモノマー
上記アルコキシアルキルメタクリレートモノマーのアルコキシアルキル基は、下記化学式（１）で表すことができる。アルコキシ基としては、例えば、メトキシ基、エトキシ基等が挙げられる。このアルコキシ基が結合するアルキレン基としては、メチレン基、エチレン基等が挙げられる。アルコキシアルキルメタクリレートモノマーとしては、メトキシエチルメタクリレートおよびエトキシエチルメタクリレートが好ましく、柔軟性の観点からエトキシエチルメタクリレートがより好ましい。アルコキシアルキルメタクリレートモノマーは、単独または２種以上を混合して用いることができる。
ＣｎＨ２ｎ＋１ＯＣｍＨ２ｍ−  （但し、ｎおよびｍはそれぞれ、１以上の整数であり、（ｎ＋ｍ）≦４を満たす）  ・・・  化学式（１）
【００１９】
アルコキシアルキルメタクリレートモノマーの配合量は、モノマー組成物に含まれる全モノマー成分を１００モル％とした場合に、１モル％〜３０モル％とすることができる。加水分解を好適に抑制する観点および折りたたみの容易性の観点から、該配合量は、好ましくは２モル％〜２５モル％、より好ましくは５モル％〜２０モル％である。上記ベースモノマーにおいて、アクリレートモノマーに対するメタクリレートモノマーの配合量が増加すると、グリスニング等の問題が発生しやすい傾向がある。その理由は定かではないが、アクリレートモノマーとメタクリレートモノマーとでは、重合速度が異なるために相分離が生じやすく（共重合性が悪く）、その結果、グリスニングが発生しやすくなると推察される。これに対し、本発明においては、上記特定のアルコキシアルキルメタクリレートモノマーを選択することにより、上記配合量でメタクリレートモノマーを用いてもグリスニング抑制能を維持することができる。
【００２０】
Ａ−１−３．アルキルアクリレートモノマー
上記アルキルアクリレートモノマーは、眼内レンズ用材料の形状回復性および柔軟性のさらなる向上に寄与し得る。また、モノマー相互の共重合性を向上させることができるので、より高いグリスニング抑制能を獲得することができる。
【００２１】
アルキルアクリレートモノマーとしては、例えば、メチルアクリレート、エチルアクリレート、プロピルアクリレート、ブチルアクリレート、ペンチルアクリレート、ヘキシルアクリレート、ヘプチルアクリレート、ノニルアクリレート、ステアリルアクリレート、オクチルアクリレート、デシルアクリレート、ラウリルアクリレート、ペンタデシルアクリレート、２−エチルヘキシルアクリレート、シクロペンチルアクリレート、シクロヘキシルアクリレート等の直鎖状、分岐鎖状または環状のアルキルアクリレートモノマー等が挙げられる。また、２，２，２−トリフルオロエチルアクリレート、２，２，３，３−テトラフルオロプロピルアクリレート、２，２，３，３−テトラフルオロ−ｔ−ペンチルアクリレート、２，２，３，４，４，４−ヘキサフルオロブチルアクリレート、２，２，３，４，４，４−ヘキサフルオロ−ｔ−ヘキシルアクリレート、２，３，４，５，５，５−ヘキサフルオロ−２，４−ビス（トリフルオロメチル）ペンチルアクリレート、２，２，３，３，４，４−ヘキサフルオロブチルアクリレート、２，２，２，２′，２′，２′−ヘキサフルオロイソプロピルアクリレート、２，２，３，３，４，４，４−ヘプタフルオロブチルアクリレート、２，２，３，３，４，４，５，５−オクタフルオロペンチルアクリレート等のフッ素置換アルキルアクリレートモノマーもアルキルアクリレートモノマーに含まれ得る。アルキルアクリレートモノマーは単独または２種以上を混合して用いることができる。
【００２２】
形状回復性および柔軟性の向上効果が大きいという点から、アルキル基の炭素数が１〜５のアルキルアクリレートモノマーが好ましく、エチルアクリレートおよびブチルアクリレートがより好ましく、共重合性の観点からエチルアクリレートが特に好ましい。
【００２３】
アルキルアクリレートモノマーの配合量は、モノマー組成物に含まれる全モノマー成分を１００モル％とした場合に、０モル％〜６０モル％とすることができる。該配合量は、好ましくは１５モル％〜４５モル％、より好ましくは２０モル％〜４０モル％である。
【００２４】
Ａ−２．親水性モノマー
親水性モノマーは、眼内レンズ用材料に親水性を与えることができる。また、親水性モノマーの配合量を調整することで、柔軟性および強度を維持しつつ、グリスニングの発生を抑制することができる。そのメカニズムは定かではないが、材料中に一定量の親水性モノマーが存在することで、ポリマー中の水分の凝集（グリスニング）を防ぐことができると推察される。
【００２５】
親水性モノマーとしては、アルキル基の炭素数が１〜２０の水酸基含有アルキル（メタ）アクリレート、（メタ）アクリルアミドおよびＮ−ビニルラクタムが挙げられる。親水性モノマーは、単独または２種以上を混合して用いることができる。なお、本明細書において、「（メタ）アクリレート」は、アクリレートおよび／またはメタクリレートを意味する。
【００２６】
水酸基含有アルキル（メタ）アクリレートとしては、例えば、ヒドロキシエチル（メタ）アクリレート、ヒドロキシプロピル（メタ）アクリレート、ヒドロキシブチル（メタ）アクリレート、ヒドロキシペンチル（メタ）アクリレート等のヒドロキシアルキル（メタ）アクリレート、ジヒドロキシプロピル（メタ）アクリレート、ジヒドロキシブチル（メタ）アクリレート、ジヒドロキシペンチル（メタ）アクリレート等のジヒドロキシアルキル（メタ）アクリレートが挙げられる。
【００２７】
（メタ）アクリルアミドとしては、例えば、Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド等のＮ，Ｎ−ジアルキル（メタ）アクリルアミド、Ｎ，Ｎ−ジメチルアミノプロピル（メタ）アクリルアミド、Ｎ，Ｎ−ジエチルアミノプロピル（メタ）アクリルアミド等のＮ，Ｎ−ジアルキルアミノアルキル（メタ）アクリルアミドが挙げられる。
【００２８】
Ｎ−ビニルラクタムとしては、例えば、Ｎ−ビニルピロリドン、Ｎ−ビニルピペリドン、Ｎ−ビニルカプロラクタム等が挙げられる。
【００２９】
親水性モノマーは、上述したものに限定されない。他に使用可能な親水性モノマーとしては、例えば、ジエチレングリコールモノ（メタ）アクリレート、トリエチレングリコールモノ（メタ）アクリレート、プロピレングリコールモノ（メタ）アクリレート、（メタ）アクリル酸、１−メチル−３−メチレン−２−ピロリジノン、無水マレイン酸、マレイン酸、マレイン酸誘導体、フマル酸、フマル酸誘導体、アミノスチレン、ヒドロキシスチレン等が挙げられる。
【００３０】
グリスニングの低下を促進させる作用が大きいという点から、親水性モノマーとしては、水酸基含有アルキル（メタ）アクリレートおよび（メタ）アクリルアミドが好ましく、２−ヒドロキシエチルメタクリレートが特に好ましい。
【００３１】
親水性モノマーの配合量は、モノマー組成物に含まれる全モノマー成分を１００モル％とした場合に、１０モル％〜４０モル％とすることができ、好ましくは１０モル％〜２５モル％である。当該範囲では、グリスニングの発生を十分に抑制できるとともに、柔軟性を維持することができる。
【００３２】
Ａ−３．架橋性モノマー
架橋性モノマーは、眼内レンズ用材料の柔軟性に関与し得る。具体的には、良好な機械的強度を付与し得るとともに、形状回復性を向上させ得る。また、モノマー同士の共重合性を向上させ得る。
【００３３】
架橋性モノマーとしては、例えば、ブタンジオールジ（メタ）アクリレート、エチレングリコールジ（メタ）アクリレート、ジエチレングリコールジ（メタ）アクリレート、トリエチレングリコールジ（メタ）アクリレート、プロピレングリコールジ（メタ）アクリレート、ジプロピレングリコールジ（メタ）アクリレート、ジアリルフマレート、アリル（メタ）アクリレート、ビニル（メタ）アクリレート、トリメチロールプロパントリ（メタ）アクリレート、メタクリロイルオキシエチル（メタ）アクリレート、ジビニルベンゼン、ジアリルフタレート、アジピン酸ジアリル、トリアリルジイソシアネート、α−メチレン−Ｎ−ビニルピロリドン、４−ビニルベンジル（メタ）アクリレート、３−ビニルベンジル（メタ）アクリレート、２，２−ビス（（メタ）アクリロイルオキシフェニル）ヘキサフルオロプロパン、２，２−ビス（（メタ）アクリロイルオキシフェニル）プロパン、１，４−ビス（２−（メタ）アクリロイルオキシヘキサフルオロイソプロピル）ベンゼン、１，３−ビス（２−（メタ）アクリロイルオキシヘキサフルオロイソプロピル）ベンゼン、１，２−ビス（２−（メタ）アクリロイルオキシヘキサフルオロイソプロピル）ベンゼン、１，４−ビス（２−（メタ）アクリロイルオキシイソプロピル）ベンゼン、１，３−ビス（２−（メタ）アクリロイルオキシイソプロピル）ベンゼン、１，２−ビス（２−（メタ）アクリロイルオキシイソプロピル）ベンゼン等が挙げられる。なかでも、ブタンジオールジ（メタ）アクリレートおよびエチレングリコールジ（メタ）アクリレートのうち１以上が好ましく用いられ得る。柔軟性をコントロールし、良好な機械的強度を付与し、形状回復性および共重合性を向上させる効果が大きいという点から、ブタンジオールジ（メタ）アクリレートが特に好ましい。架橋性モノマーは、単独または２種以上を混合して用いることができる。
【００３４】
架橋性モノマーの配合量は、モノマー組成物に含まれる全モノマー成分を１００モル％とした場合に、０．１モル％〜５モル％とすることができる。該配合量は、好ましくは０．５モル％〜４モル％であり、より好ましくは１モル％〜３モル％である。当該範囲では、形状回復性を付与するとともに、グリスニング発生を抑制することができる。また、眼内レンズ材料として小切開からの挿入に耐えうる伸び率を付与することができる。
【００３５】
Ａ−４．モノマー配合割合
モノマー組成物中における、全アクリレートモノマーに対する全メタクリレートモノマーのモル基準配合割合（メタクリレート／アクリレート）は、０．２５〜１．００であり、好ましくは０．３０〜０．７０であり、より好ましくは０．３５〜０．６５である。アクリレートモノマーとメタクリレートモノマーの配合割合を当該範囲内とすることにより、折り畳みに適した柔軟性を維持しつつ、耐加水分解性に優れるという特徴を有する眼内レンズ材料が得られ得る。
【００３６】
Ａ−５．重合開始剤
モノマー組成物は、必要に応じて重合開始剤を含む。重合開始剤としては、重合方法に応じて、ラジカル重合開始剤、光重合開始剤等の任意の適切な重合開始剤が用いられ得る。
【００３７】
ラジカル重合開始剤としては、例えば、アゾビスイソブチロニトリル、アゾビスジメチルバレロニトリル、ベンゾイルパーオキサイド、ｔ−ブチルハイドロパーオキサイド、クメンハイドロパーオキサイド等が挙げられる。光線等を利用して重合させる場合には、光重合開始剤や増感剤を添加することが好ましい。光重合開始剤としては、例えば、メチルオルソベンゾイルベンゾエート等のベンゾイン系化合物、２−ヒドロキシ−２−メチル−１−フェニルプロパン−１−オン等のフェノン系化合物、１−ヒドロキシシクロヘキシルフェニルケトン、１−フェニル−１，２−プロパンジオン−２−（ｏ−エトキシカルボニル）オキシム、２−クロロチオキサンソン等のチオキサンソン系化合物、ジベンゾスバロン、２−エチルアンスラキノン、ベンゾフェノンアクリレート、ベンゾフェノン、ベンジル等が挙げられる。
【００３８】
重合開始剤や増感剤の配合量は、本発明の効果を損なわない範囲で適切に設定され得る。
【００３９】
Ａ−６．他の添加成分
眼内レンズ用材料は、必要に応じて、紫外線吸収剤、色素等その他の添加成分を含んでいてもよい。添加成分は、代表的には、モノマー組成物中に添加されることによって眼内レンズ用材料に配合され得る。
【００４０】
紫外線吸収剤としては、例えば、２−ヒドロキシ−４−メトキシベンゾフェノン、２−ヒドロキシ−４−オクトキシベンゾフェノン等のベンゾフェノン類、２−（２′−ヒドロキシ−５′−メタクリルオキシエチレンオキシ−ｔ−ブチルフェニル）−５−メチル−ベンゾトリアゾール、２−（２′−ヒドロキシ−５′−メチルフェニル）ベンゾトリアゾール、５−クロロ−２（３′−ｔ−ブチル−２′−ヒドロキシ−５′−メチルフェニル）ベンゾトリアゾール等のベンゾトリアゾール類、サリチル酸誘導体類、ヒドロキシアセトフェノン誘導体類等が挙げられる。紫外線吸収剤の配合量は、本発明の効果を損なわない範囲で任意の適切な値に設定され得る。
【００４１】
色素は、例えば、青視症を補正する場合、黄色ないし橙色の色素とすることが望ましい。色素としては、例えば、特開２００６−２９１００６号公報に記載の染料や、カラーインデックス（ＣＩ）に記載されたＣＩソルベントイエロー、ＣＩソルベントオレンジ等の油溶性染料、ＣＩディスパースイエロー、ＣＩディスパースオレンジ等の分散染料、バット系染料等が挙げられる。色素の配合量は、本発明の効果を損なわない範囲で任意の適切な値に設定され得る。
【００４２】
Ｂ．眼内レンズ用材料の製造方法
眼内レンズ用材料は、上記モノマー組成物を重合することによって得られる。重合方法は、例えば、ラジカル重合開始剤を配合したのち加熱するものとしてもよいし、マイクロ波、紫外線、放射線（γ線）等の電磁波を照射するものとしてもよい。加熱条件や照射条件はモノマー組成物の組成等に応じて適切に設定され得る。
【００４３】
重合は、鋳型内で行われてもよく、重合後に得られた材料を切削加工によって所望の形状に加工してもよい。
【００４４】
Ｃ．眼内レンズ材料の特性
本発明の眼内レンズ材料においては、グリスニングの発生が抑制されている。眼内レンズ材料を眼内レンズに加工した場合、グリスニングの発生数は眼内レンズ１枚当たり１５個以下が好ましい。また、実施例に記載のプレートの場合では、グリスニングの発生数はプレート１枚あたり６個以下が好ましく、２個以下がより好ましい。
【００４５】
眼内レンズ材料の破断応力は、好ましくは４．５ＭＰａ〜１１．０ＭＰａであり、より好ましくは５．０ＭＰａ〜１０．５ＭＰａである。破断応力が４．５ＭＰａ未満であると、強度が弱くなり、レンズ挿入時に破損する恐れがある。また、耐加水分解性が不十分となる場合がある。一方、破断応力が１１．０ＭＰａを超えると、柔軟性が低下して小さく折り畳むことが困難となる場合がある。
【００４６】
眼内レンズ材料の伸び率は、好ましくは１７０％以上である。伸び率が１７０％以上であると、小切開からの挿入に好適である。また、形状回復性の観点から、該伸び率は、６００％以下であることが好ましい。
【００４７】
水中にて１００℃３０日間保存した際の、眼内レンズ材料からの加水分解物（例えば、フェノキシエチルアルコール（ＰＯＥｔＯＨ））の溶出率は、０．１３質量％以下が好ましく、０．１０質量％以下がより好ましい。また、水中にて１００℃６０日間保存した際の、眼内レンズ材料からの加水分解物の溶出率は、０．８０質量％以下が好ましく、０．７０質量％以下がより好ましい。また、水中にて１００℃９０日間保存した際の、眼内レンズ材料からの加水分解物の溶出率は、３．３０質量％以下が好ましく、２．８０質量％以下がより好ましい。
【００４８】
眼内レンズ用材料の屈折率は、乾燥状態（２５℃）および吸水状態（３５℃）の双方において、好ましくは１．５０以上である。
【００４９】
眼内レンズ用材料は、吸水率（質量％）が１．５質量％〜４．５質量％の範囲であることが好ましい。吸水率が１．５質量％以上では、グリスニングの発生を抑制することができ、４．５質量％以下では、柔軟性の低下や形状回復性の低下をより抑制することができる。
【実施例】
【００５０】
以下、実施例によって本発明を具体的に説明するが、本発明はこれら実施例によって限定されるものではない。なお、各処理および各特性の測定方法は以下の通りである。【００５１】
(加水分解処理)
予め試料を６０℃にて乾燥し、処理前質量Ｗ0を測定した。１００ｍＬ耐圧瓶に蒸留水５０ｍＬを入れ、試料を浸漬した。１００℃の乾燥機に耐圧瓶を入れ保存した。試料として直径６ｍｍ厚さ０．５ｍｍのプレートを１０枚使用した。瓶の風袋質量Ｗ01、蒸留水添加後の瓶質量Ｗ02、試料浸漬後の瓶質量Ｗ03を記録した。【００５２】
（ＰＯＥｔＯＨ溶出率）
以下の手順によって、加水分解処理３０日後の抽出液について、フェノキシエチルアルコール（ＰＯＥｔＯＨ，ＰＯＥＡの加水分解物）の濃度と溶出率を求めた。抽出液採取前の瓶質量Ｗ11を記録後、瓶から抽出液を採取し、抽出液採取後の瓶質量Ｗ12を記録した。採取した抽出液、標準液、およびそれらのブランク(蒸留水)を、ＨＰＬＣを用いて分析した。分析後、採取した水溶液および標準溶液のクロマトグラムから蒸留水のクロマトグラムを差し引き、ベースライン補正を行った。補正したクロマトグラムからＰＯＥｔＯＨのピーク面積を算出した。標準液のＰＯＥｔＯＨ濃度とピーク面積から検量線を作成した。抽出液のＰＯＥｔＯＨのピーク面積と得られた検量線をもとに、抽出液中のＰＯＥｔＯＨの濃度を算出した。得られたＰＯＥｔＯＨの濃度を用いて、試料１ｇあたりのＰＯＥｔＯＨの溶出率を次式（１）より算出した。抽出液容量については式（２）より算出した。抽出液容量の算出にあたっては、１００℃の加熱により変化した質量のうち試料の質量変化は抽出液のそれに比べて無視できる程小さいこと、抽出液の大部分は水のため密度を１ｇ/１ｍＬとして計算して差し支えないとの考えが前提にある。処理３０日の抽出液分析後、再び瓶を１００℃の乾燥機に入れた。加水分解処理の合計６０日後に、抽出液を再び採取した。処理３０日の際と同様に、抽出液採取前の瓶質量Ｗ21を記録し、抽出液中のＰＯＥｔＯＨ濃度をＨＰＬＣ分析にて定量し、ＰＯＥｔＯＨの溶出率を式（３）より算出した。抽出液容量については式（４）より算出した。また、同様に加水分解処理の合計９０日後のＰＯＥｔＯＨの溶出率も算出した。
ＰＯＥｔＯＨ溶出率（％）＝抽出液中のＰＯＥｔＯＨ濃度（ｐｐｍ）×１０-6×抽出液容量Ｖ1S（ｍＬ）／処理前質量Ｗ0（ｇ）×１００  …数式（１）
抽出液容量Ｖ1S（ｍＬ≒ｇ）＝［Ｗ02（ｇ）−Ｗ01（ｇ）］−［Ｗ03（ｇ）−Ｗ11（ｇ）］  …数式（２）
ＰＯＥｔＯＨ溶出率（％）＝抽出液中のＰＯＥｔＯＨ濃度（ｐｐｍ）×１０-6×抽出液容量Ｖ2S（ｍＬ）／処理前質量Ｗ0（ｇ）×１００  …数式（３）
抽出液容量Ｖ2S（ｍＬ≒ｇ）＝Ｖ1S（ｍＬ≒ｇ）−［Ｗ11（ｇ）−Ｗ12（ｇ）］−［Ｗ12（ｇ）−Ｗ21（ｇ）］  …数式（４）【００５３】
（破断応力）
全長（Ｌ0）約２０ｍｍ、平行部長さ（Ｌ）６ｍｍ、平行部幅（Ｗ）１．５ｍｍ、厚さ０．８ｍｍのダンベル形状の試験片（図１参照）を用いて測定した。２５℃の恒温水に試料を浸漬して１分間静置した後、１００ｍｍ／分の速度で破断するまで引っ張った。ソフトウェアを用いて、破断応力を求めた。【００５４】
（グリスニング）
この測定において、直径６ｍｍ、中心厚み０．８ｍｍ±０．１ｍｍのレンズ形状の試料あるいは直径６ｍｍ、厚さ０．５ｍｍのプレートの試料を使用した。レンズ形状の試料については、試料を３５℃の水中に１７時間以上浸漬し、次いで２５℃の水中に２時間浸漬した後、実体顕微鏡にて外観を観察した。プレートの試料については、試料を３５℃の水中に２２時間浸漬し、次いで２５℃の水中に２時間浸漬した後、実体顕微鏡にて外観を観察した。外観の観察は、１種の試料につき２あるいは３検体行い、グリスニング（輝点）の発生個数を調べた。倍率は約１０〜６０倍であった。グリスニングを観察しやすいよう上記範囲で倍率を適宜調節し観察した。【００５５】
（吸水率）
２５℃における平衡含水状態および乾燥状態での試料の質量を測定し、吸水率（質量％）を算出した。吸水率は、２５℃における平衡含水状態での試料の質量Ｗw、乾燥状態での試料の質量Ｗdとにより、次式（５）より算出した。試料として、直径６ｍｍ厚さ０．８ｍｍのプレートを５枚使用した。
吸水率（質量％）＝（Ｗw−Ｗd）／Ｗd×１００  …数式（５）【００５６】
（屈折率）
アッベ屈折計を用いて試料のＨｇ−ｅ線による屈折率を求めた。乾燥状態の試料（２５℃）あるいは吸水状態の試料（３５℃）で測定した。試料として、直径６ｍｍ厚さ０．８ｍｍのプレートを使用した。【００５７】
［実施例１〜６および比較例１〜９  プレート形状の眼内レンズ用材料の作製］
表１に示す割合の各モノマー成分および重合開始剤として２，２’−アゾビス（２，４−ジメチルバレロニトリル）を、ベースモノマー１００質量部に対して０．５質量部混合してモノマー組成物を得た。得られたモノマー組成物を所望のプレート形状の鋳型内に注入した。この鋳型を８０℃のオーブン中に入れて４０分間にわたって加熱重合成形を行った。得られた重合体を鋳型から脱型し、溶出処理を行った後、６０℃のオーブン内で乾燥させ、プレート形状の眼内レンズ用材料を得た。この時、必要な測定項目にあわせ、同じ組成のプレート試料として２種類の厚さの試料を適宜作製した。上述の厚さ０．５ｍｍまたは０．８ｍｍのプレートとは、厚さ０．５ｍｍまたは０．８ｍｍのスペーサーを用いた鋳型から作製されたプレートである。試験の目的に合わせ、乾燥したプレートを直径６ｍｍまたは８ｍｍにくり抜いて測定用のプレートとした。【００５８】
【表１】
2019150490.tif 000003
【００５９】
［使用成分］
表中に記載の化合物の略称を以下に示す。
＜ベースモノマー＞
ＰＯＥＡ  ：２−フェノキシエチルアクリレート
ＥＡ      ：エチルアクリレート
ＰＯＥＭＡ：フェノキシエチルメタクリレート
ＥＨＭＡ  ：エチルへキシルメタクリレート
ＬＭＡ    ：ラウリルメタクリレート
ＥＴＭＡ  ：エトキシエチルメタクリレート
＜親水性モノマー＞
ＨＥＭＡ：２−ヒドロキシエチルメタクリレート
＜架橋性モノマー＞
ＢＤＤＡ：１，４−ブタンジオールジアクリレート【００６０】
得られた眼内レンズ用材料に関して、各特性を評価した。結果を表２に示す。【００６１】
【表２】
2019150490.tif 000004
【００６２】
表１および表２から明らかなとおり、ベースモノマーとして芳香環含有アクリレートモノマーと炭素数が４以下のアルコキシアルキル基を有するアルコキシアルキルメタクリレートモノマーとを併用した実施例１〜６および比較例４〜９では、耐加水分解性が向上した眼内レンズ材料が得られた。また、これらの眼内レンズ材料は、グリスニングの発生も抑制されていた。さらに、モノマー組成物中のアクリレートモノマーに対するメタクリレートモノマーのモル基準配合割合が０．２５〜１．００の範囲内である実施例１〜６では、柔軟で好適に折り畳むことができ、かつ、眼内への挿入に耐え得る強度を有する眼内レンズ材料が得られた。一方、比較例４〜９の眼内レンズ材料は、柔軟性が低く、折り畳むのが困難であるか、あるいは、折り畳む際の負担が大きいことが予想された【００６３】
［比較例１０〜１２  レンズ形状の眼内レンズ用材料の作製］
表３に示すモノマー成分を用いたこと、および、所望のレンズ形状の鋳型を用いたこと以外は、実施例１と同様にしてレンズ形状の眼内レンズ用材料を得た。また、得られた眼内レンズ用材料に関して、グリスニング評価を行った。結果を表３に示す。【００６４】
【表３】
2019150490.tif 000005
【００６５】
表３に示されるとおり、芳香環含有アクリレートモノマーと炭素数が４以下のアルコキシアルキル基を有するアルコキシアルキルメタクリレートモノマーとを併用しない場合、得られた眼内レンズ材料は、グリスニングが発生しやすい材料であった。【００６６】
［試験例１〜３］
表４に示すモノマー組成物を重合して得られるポリマー材料もまた、本発明の眼内レンズ材料として好適に用いられ得る。【００６７】
【表４】
2019150490.tif 000006
【産業上の利用可能性】
【００６８】
本明細書で開示する発明は、眼内レンズに関する用途に用いることができる。
【図１】
2019150490.tif 000007
【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
芳香環含有アクリレートモノマーと炭素数が４以下のアルコキシアルキル基を有するアルコキシアルキルメタクリレートモノマーと炭素数が１〜２０のアルキル基を有するアルキルアクリレートモノマーとを含むベースモノマーと、親水性モノマーとしてのアルキル基の炭素数が１〜２０の水酸基含有アルキル（メタ）アクリレートと、架橋性モノマーと、を含むモノマー組成物を重合して得られるポリマー材料を含む、眼内レンズ用材料であって、
該芳香環含有アクリレートモノマーが、フェノキシエチルアクリレート、フェニルエチルアクリレートおよびベンジルアクリレートから選択される１つであり、
該モノマー組成物に含まれる全モノマー成分における、全アクリレートモノマーに対する全メタクリレートモノマーのモル基準配合割合が、０．２５〜１．００である、眼内レンズ用材料。
【請求項２】
前記アルコキシアルキルメタクリレートモノマーが、メトキシエチルメタクリレートおよびエトキシエチルメタクリレートから選択される１つ以上である、請求項１に記載の眼内レンズ用材料。
【請求項３】
前記モノマー組成物における前記アルコキシアルキルメタクリレートモノマーの配合量が、前記モノマー組成物に含まれる全モノマー成分を１００モル％とした場合に、１モル％〜３０モル％である、請求項１または２に記載の眼内レンズ用材料。
【請求項４】
前記モノマー組成物における前記親水性モノマーの配合量が、前記モノマー組成物に含まれる全モノマー成分を１００モル％とした場合に、１０モル％〜４０モル％である、請求項１から３のいずれか１項に記載の眼内レンズ用材料。
【請求項５】
前記モノマー組成物における前記架橋性モノマーの配合量が、前記モノマー組成物に含まれる全モノマー成分を１００モル％とした場合に、０．１モル％〜５モル％である、請求項１から４のいずれか１項に記載の眼内レンズ用材料。
【請求項６】
前記モノマー組成物における前記芳香環含有アクリレートモノマーの配合量が、前記モノマー組成物に含まれる全モノマー成分を１００モル％とした場合に、２５モル％〜５５モル％である、請求項１から５のいずれか１項に記載の眼内レンズ用材料。
【請求項７】
前記アルキルアクリレートモノマーが、アルキル基の炭素数が１〜５のアルキルアクリレートモノマーから選択される１つ以上である、請求項１から６のいずれか１項に記載の眼内レンズ用材料。
【請求項８】
前記モノマー組成物における前記アルキルアクリレートモノマーの配合量が、前記モノマー組成物に含まれる全モノマー成分を１００モル％とした場合に、１５モル％〜４５モル％である、請求項１〜７のいずれかに記載の眼内レンズ用材料。
【請求項９】
破断応力が、４．５ＭＰａ〜１１．０ＭＰａである、請求項１から８のいずれか１項に記載の眼内レンズ用材料。
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
芳香環含有アクリレートモノマーと炭素数が４以下のアルコキシアルキル基を有するアルコキシアルキルメタクリレートモノマーと炭素数が１〜２０のアルキル基を有するアルキルアクリレートモノマーとを含むベースモノマーと、親水性モノマーとしてのアルキル基の炭素数が１〜２０の水酸基含有アルキルメタクリレートと、架橋性モノマーと、を含むモノマー組成物を重合して得られるポリマー材料を含む、眼内レンズ用材料であって、
該芳香環含有アクリレートモノマーが、フェノキシエチルアクリレート、フェニルエチルアクリレートおよびベンジルアクリレートから選択される１つであり、
該架橋性モノマーが、ブタンジオールジアクリレート、エチレングリコールジアクリレート、ジエチレングリコールジアクリレート、トリエチレングリコールジアクリレート、プロピレングリコールジアクリレート、ジプロピレングリコールジアクリレート、２，２−ビス（アクリロイルオキシフェニル）ヘキサフルオロプロパン、２，２−ビス（アクリロイルオキシフェニル）プロパン、１，４−ビス（２−アクリロイルオキシヘキサフルオロイソプロピル）ベンゼン、１，３−ビス（２−アクリロイルオキシヘキサフルオロイソプロピル）ベンゼン、１，２−ビス（２−アクリロイルオキシヘキサフルオロイソプロピル）ベンゼン、１，４−ビス（２−アクリロイルオキシイソプロピル）ベンゼン、１，３−ビス（２−アクリロイルオキシイソプロピル）ベンゼンおよび１，２−ビス（２−アクリロイルオキシイソプロピル）ベンゼンから選択される１つ以上であり、
該モノマー組成物における該芳香環含有アクリレートモノマーの配合量が、該モノマー組成物に含まれる全モノマー成分を１００モル％とした場合に、３０モル％〜５０モル％であり、
該モノマー組成物における該アルコキシアルキルメタクリレートモノマーの配合量が、該モノマー組成物に含まれる全モノマー成分を１００モル％とした場合に、５モル％〜２５モル％であり、
該モノマー組成物における該アルキルアクリレートモノマーの配合量が、該モノマー組成物に含まれる全モノマー成分を１００モル％とした場合に、２０モル％〜４０モル％であり、
該モノマー組成物に含まれる全モノマー成分における、全アクリレートモノマーに対する全メタクリレートモノマーのモル基準配合割合が、０．２５〜１．００である、眼内レンズ用材料。
【請求項２】
前記アルコキシアルキルメタクリレートモノマーが、メトキシエチルメタクリレートおよびエトキシエチルメタクリレートから選択される１つ以上である、請求項１に記載の眼内レンズ用材料。
【請求項３】
前記アルキル基の炭素数が１〜２０の水酸基含有アルキルメタクリレートが、ヒドロキシエチルメタクリレート、ヒドロキシプロピルメタクリレート、ヒドロキシブチルメタクリレート、ヒドロキシペンチルメタクリレート、ジヒドロキシプロピルメタクリレート、ジヒドロキシブチルメタクリレートおよびジヒドロキシペンチルメタクリレートから選択される１つ以上である、請求項１または２に記載の眼内レンズ用材料。
【請求項４】
前記モノマー組成物における前記親水性モノマーの配合量が、前記モノマー組成物に含まれる全モノマー成分を１００モル％とした場合に、１０モル％〜４０モル％である、請求項１から３のいずれか１項に記載の眼内レンズ用材料。
【請求項５】
前記モノマー組成物における前記架橋性モノマーの配合量が、前記モノマー組成物に含まれる全モノマー成分を１００モル％とした場合に、０．１モル％〜５モル％である、請求項１から４のいずれか１項に記載の眼内レンズ用材料。
【請求項６】
前記モノマー組成物における前記芳香環含有アクリレートモノマーの配合量が、前記モノマー組成物に含まれる全モノマー成分を１００モル％とした場合に、３５モル％〜４５モル％である、請求項１から５のいずれか１項に記載の眼内レンズ用材料。
【請求項７】
前記アルキルアクリレートモノマーが、アルキル基の炭素数が１〜５のアルキルアクリレートモノマーから選択される１つ以上である、請求項１から６のいずれか１項に記載の眼内レンズ用材料。
【請求項８】
前記モノマー組成物に含まれる全モノマー成分における、全アクリレートモノマーに対する全メタクリレートモノマーのモル基準配合割合が、０．３０〜０．７０である、請求項１〜７のいずれかに記載の眼内レンズ用材料。
【請求項９】
破断応力が、４．５ＭＰａ〜１１．０ＭＰａである、請求項１から８のいずれか１項に記載の眼内レンズ用材料。
【国際調査報告】
2019150490.tif 000008
2019150490.tif 000009